(57)【要約】【課題】記入者の負担を極力少なくして、複数帳票の中から作成しようとしている帳票を誤認識なく選択して電子帳票を作成すること。【解決手段】本体部１の決められた位置に帳票を置き、ペン２により帳票に記入する。ペン２には、超音波発信器等が設けられ、ペン２から発信される超音波パルス等を受信部１１で受信してペン軌跡を求める。処理装置３の帳票識別部３２は、帳票を区別するための情報が格納された帳票識別データベース３３を参照して、上記ペン軌跡に基づき、（１）　帳票ごとに一致しないように配置された記入欄に記入があったか否か、あるいは、（２）　帳票識別を目的とした識別欄にペン軌跡があるか否かで帳票を識別する。帳票作成部３４は、帳票データベース３５から、識別された帳票に対応した記入欄の位置と属性を引出し、文字認識部３６による文字認識結果を帳票データベース３５に格納する。【選択図】　　　　　図１
2004021917.tif 000002
【特許請求の範囲】
【請求項１】
予め決まっている形式で印刷された帳票に手書き筆記可能なペンと、
上記ペンの座標を求める手段と、
上記帳票の形式を電子的に格納している格納手段と、
上記ペンの座標に基づき帳票への手書き記入位置を検出し、上記格納手段に格納された各帳票の形式に基づき、複数種類の帳票を識別する帳票識別手段と、
ペン座標から帳票への記入を認識して電子帳票を作成する帳票作成手段とを備えた
ことを特徴とする電子帳票作成装置。
【請求項２】
本来記入すべき帳票項目のひとつ、あるいは、複数の位置を、各帳票ごとに互いに一致しないようにずらし、
上記帳票識別手段は、各帳票の記入位置に基づき各帳票を識別する
ことを特徴とする請求項１の電子帳票作成装置。
【請求項３】
本来記入すべき帳票項目とは別に、帳票識別を目的としたひとつ、あるいは、複数の識別欄を設け、
上記帳票識別手段は、上記識別欄にペン軌跡があるか否かで帳票を識別する
ことを特徴とする請求項１の電子帳票作成装置。
【発明の詳細な説明】
【０００１】
【発明の属する技術分野】
本発明は，　あらかじめ書式が定められて紙に記入枠が印刷された帳票に、ペンで手書きで追記することで帳票を作成する電子帳票作成装置に関する。
【０００２】
【従来の技術】
従来、帳票を電子入力するには、例えば以下の方法が採られていた。
（１）　紙帳票に手書きしたものを専用のオペレータがキーボード等から再入力する。
（２）　紙帳票をスキャナやＯＣＲでコンピュータに入力し手書き文字認識等で紙筆記内容を解析して入力する。
（３）　直接コンピュータ画面にキーボード、マウス、タッチペン等で選択入力や手書きして文字認識入力する。
さらに、複数の種類の帳票を扱う場合には、どの帳票であるかを区別して電子入力を行う必要があり、従来においては、例えば以下のようにして帳票を区別していた。
（１）　帳票そのもの、あるいは、帳票に記載された帳票ＩＤ等からオペレータが帳票の種類を選択する。
（２）　帳票に印刷された帳票ＩＤ等をＯＣＲにより認識する。
（３）　キーボード、マウス、タッチペン等から帳票を選択する。
【０００３】
【発明が解決しようとする課題】
従来においては、上記（１）　〜（３）　のように帳票を区別していたが、上記（１）　の方法では、オペレータの人件費コストがかかったり、記入しても直ぐに帳票を作成できない問題がある。
また、上記　（２）の方法では、あらかじめ印刷された罫線、枠等に文字が重なり誤認識したり、文字認識不能になったりする。なお、罫線等の影響を排除するには、スキャナで入力しないような色（ドロップアウトカラー）　で罫線等を印刷する等の方法もあるが、帳票作成に手間やコストがかかる問題がある。
さらに、上記（３）　の方法では、紙帳票と違って記入者が操作に負担を感じたり、タッチペン入力装置のコストがかかったり記入場所が制限されたりする。
そこで、座標入力できるペンを使用して紙帳票にペンで手書き入力すると、ペン座標から入力文字を認識して帳票を作成するシステムが提案されている（例えば、特開２００１−２３６４５１号公報参照）。
上記公報に記載のものは、ペンから超音波を出力し固定した２箇所の超音波センサまで超音波が伝搬する時間からペン座標を求め、ペン座標から文字認識し、帳票データベースを参考に、電子帳票を作成するものである。
さらに上記公報に記載のものにおいて、複数種類の帳票がある場合、複数の帳票を区別するため、帳票ごとに識別文字を登録しておき、帳票記入時に識別文字をペンで筆記すると、識別文字を認識することでどの帳票か区別している。
しかし、識別文字を筆記するのは煩雑であり、識別文字の認識に失敗すると帳票がまったく入らないような問題も発生する。
本発明は上記従来技術の問題点を解決するためになされたものであって、記入者の負担を極力少なくして、複数帳票の中から作成しようとしている帳票を誤認識なく選択して、電子帳票を作成することができる電子帳票作成装置を提供することを目的とする。
【０００４】
【課題を解決するための手段】
上記課題を解決するため、本発明においては、以下のようにして帳票の種類を識別し、電子帳票を作成する。
（１）前もって帳票ごとに一致しない帳票の記入欄を設けておき、その位置に記入があったか否かで帳票の区別をつける。
（２）本来記入すべき帳票項目とは別に、帳票識別を目的としたひとつ、あるいは、複数の識別欄を設け、該識別欄にペン軌跡があるか否かで帳票の区別をつける。
すなわち、図１に示すように、帳票を記入するためのペン２と帳票を置く本体部１を設け、本体部１の決められた位置に帳票を置き、ペン２により帳票に記入する。ペン２には、超音波発信器等が設けられ、ペン２から発信される超音波パルス等を受信部１１で受信してペン軌跡を求める。
処理装置３には、位置算出部３１、どの帳票か種類を区別する帳票識別部３２、帳票を区別するための情報が入っている帳票識別データベース３３が設けられ、帳票識別部３２は、上記ペン軌跡に基づき、上記のように、（１）　帳票ごとに一致しないように配置された記入欄に記入があったか否か、（２）　帳票識別を目的とした識別欄にペン軌跡があるか否かで帳票を識別する。
そして、帳票作成部３４は、帳票イメージや帳票の中身を格納した帳票データベース３５から、識別された帳票に対応した記入欄の位置と属性を引出す。文字認識部３６は、上記属性等に基づき手書き文字認識を行い上記ペン軌跡を文字コードに変換する。文字コードに変換された認識結果は、帳票データベース３５に格納される。
本発明においては、上記のように帳票への手書き記入位置を検出し、帳票を識別しているので、記入者に大きな負担をかけることなく、複数帳票の中から作成しようとしている帳票を選択して電子帳票を作成することができる。また、帳票の誤認識の可能性をほとんど無くすことができる。
【０００５】
【発明の実施の形態】
図１は、本発明の電子帳票作成装置の全体構成を示す図である。
同図において、１は帳票を置く本体部、２は帳票を記入するペン、３はパソコン等の処理装置であり、本体部１と処理装置３間は伝送線４で接続されている。
ペン２は後述するように、赤外線パルスを発生する赤外線ＬＥＤ等から構成される赤外線発振器と、超音波パルスを出力する超音波発信器を備え、また、上記本体部１は、上記赤外線パルスを受信するフォトダイオード（ＰＤ）等の赤外線受信器と、上記超音波パルスを受信する２個の超音波受信器を有する受信部１１を備えている。
そして、上記受信部１１は、上記ペン２に設けられた赤外線ＬＥＤが出力する赤外線パルスと、超音波発信器が出力する超音波パルスを受信し、上記赤外線パルスを同期信号として、２個の超音波受信器により受信される超音波パルスの到達時間差を求め、ペン２の位置座標を求める。
なお、以下の実施例では、ペン２に赤外線発信器を設け、本体部１の受信部１ａに赤外線受信器を設ける場合について説明するが、赤外線以外に電波等を用いる等、時間遅れを無視可能に伝送できるその他の伝送手段を用いてもよい。
【０００６】
また、以下の実施例では、ペン２に赤外線発振器と、超音波発信器を設け、本体部１ａに赤外線受信器と、超音波受信器を設ける場合について説明するが、以下の組み合わせでもよい。
（１）　ペン２に超音波発信器、赤外線受信器を設け、受信部１１に超音波受信器、赤外線発信器を設ける。
（２）　ペン２に超音波受信器、赤外線発信器を設け、受信部１１に超音波発信器　赤外線受信器を設ける。
（３）　ペン２に超音波受信器、赤外線受信器を設け、受信部１１に超音波発信器、赤外線発信器を設ける。
なお、上記（３）　の場合にはペン２と処理装置３間で信号伝送するため手段が必要となる。
処理装置３は、上記本体部１に設けられた受信部１１から送信されるペン２の位置座標から、本体部１上に置かれる帳票を基準とした座標系におけるペン２の位置座標を求める位置算出部３１と、後述するように記入欄の位置あるいは識別欄の位置に基づき、どの帳票か種類を区別する帳票識別部３２と、帳票を区別するための情報が入っている帳票識別データベース３３と、電子帳票を作成する帳票作成部３４と、帳票イメージや帳票の中身を格納する帳票データベース３５と、ペン座標から手書き文字認識してペン軌跡を文字コードに変換する文字認識部３６から構成される。
上記処理装置３はＣＰＵ、メモリ、外部記憶装置等から構成されるパソコンで実現することができ、上記位置算出部３１、帳票識別部３２、帳票作成部３４、文字認識部３６による機能は、ソフトウェアにより実現することができる。
【０００７】
図２は、上記ペン２の構成例を示す図、図３はペン２の内部ブロック図である。
ペン２内には、先端にボールペン芯２ａが付いており、紙帳票に直接記入できるようになっている。また、筆記時の芯と筆記面の接触を検出するための接触検知スイッチ２ｂが設けられ、紙筆記時に該スイッチ２ｂがオンとなる。
先端にはさらに、円筒状の超音波発信器２ｃと赤外線ＬＥＤ２ｄが設けられる。円筒状の超音波発信器２ｃは、例えばポリフッ化ビニリデン製の円筒状の圧電フィルムからなる。円筒状にするのは、指向性を３６０度にすることで、ペン２が回転しても超音波が同じように発信して、受信部１ａに設けられた受信器に届くようにするためである。
赤外線ＬＥＤ２ｄは指向性が１２０度のものを３個配置し、やはりペン２が回転しても赤外線が同じように本体部１に設けられた受信部１１に届くようになっている。上記超音波発信器２ｃ、赤外線ＬＥＤ２ｄは、前記接触検知スイッチ２ｂがオンになったときに赤外線パルス、超音波パルスを発信する。
さらにペン２内には、電池２ｅと駆動回路２ｆが設けられている。
【０００８】
ペン２の内部のブロック図を図３に示す。ペン２内部に設けられた駆動回路２ｆはタイマ２１とＬＥＤ駆動回路２２と超音波駆動回路２３を備える。
ペン先と筆記面との接触を検知する接触検知スイッチ２ｂにより接触が検知されると、タイマ２１に設定された時間により定まる一定周期で、ＬＥＤ駆動回路２２と超音波駆動回路２３が動作し、赤外線ＬＥＤ２ｄから赤外線パルスが、また、超音波発信器２ｃから超音波パルスが発生する。
この周期は人間の手によるペンの動きが安定に検出できれば良いので１００Ｈｚ程度に設定されている。
【０００９】
本体部１の構成例を図４に示す。
全体は板状になっていて紙帳票を上に置いてペン２で手書き記入できるようなボード１ａから構成される。
紙帳票１ｂは、左端と上端を突き当てエッジ１ｃに押し付けてから紙クリップ１ｄで固定することで、常に同じ位置に紙を固定できるようになっている。
超音波センサ１１ａ，１１ｂと赤外線センサ１１ｃは受信部１１に固定され、本体部１の表面から盛り上がって配置されることで、ペン２からの超音波パルスや赤外線パルスを受信できるようになっている。超音波センサ１１ａ，１１ｂもポリフッ化ビニリデン製の円筒状の圧電フィルムからなる。
【００１０】
受信部１１の内部ブロック図を図５に示す。
超音波センサ１１ａ，１１ｂでペン２からの超音波パルスを、また、赤外線センサ１１ｃで赤外線パルスを検出する。ペン２からの超音波パルスは超音波センサ１１ａと１１ｂとで検出後、入力アンプ１２ａ，１２ｂで所望の大きさに増幅される。
受信された超音波は通常図６（ｂ）（ｃ）に示すような波形となる。なお、ここでは超音波センサ１１ａで受信した超音波パルスを受信波１とし、超音波センサ１１ｂで受信した超音波パルスを受信波２とする。
コンパレータ１３ａ，１３ｂは、上記受信波１、受信波２の値が適当な閾値ｒｔ１よりも大きいかどうか検出し、大きいとフリップフロップ１５ａ，１５ｂをオンとする。零クロスコンパレータ１４ａ，１４ｂは上記受信波１、受信波２の零クロスを検出する。
アンドゲート１６ａ，１６ｂは、上記フリップフロップ１５ａ，１５ｂの出力と、零クロスコンパレータ１４ａ，１４ｂが出力する零クロス信号との論理積を出力し、両方の論理積により、閾値ｒｔ１を越えた次の零クロス位置を検出する。この零クロスの時刻が超音波パルスの到達時刻（すなわち、ペン２から超音波センサ１１ａ，１１ｂまでの超音波伝搬時間）となる。
タイマ１７ａ、タイマ１７ｂは、赤外線センサ１１ｃの出力（赤外線同期信号）により計数を開始し、上記アンドゲート１６ａ，１６ｂの出力により計数を停止する。したがって、図６（ａ）〜（ｃ）に示すように、タイマ１７ａにより、赤外線同期信号を基準とした受信波１の到達時刻Ｔ１が検出され、タイマ１７ｂにより、赤外線同期信号を基準とした、受信波１の到達時刻Ｔ２が検出される。
転送用コンピュータ１８は、上記到達時刻（超音波伝搬時間）Ｔ１，Ｔ２からペン２の位置座標を求め、この位置座標は伝送線４を介して処理装置３に送られる。
【００１１】
次に、上記超音波伝搬時間Ｔ１，Ｔ２から、ペンの位置座標を求める方法を説明する。
音速をＶ、超音波センサ１１ａ，１１ｂ間の距離をＷ、ペン２から超音波センサ１１ａ，１１ｂまでの距離をそれぞれＬ１，Ｌ２とすると、Ｌ１，Ｌ２は以下の式で表される。
Ｌ１＝Ｖ×Ｔ１
Ｌ２＝Ｖ×Ｔ２
また、超音波センサ１１ａの位置Ｒ１を原点とし、超音波センサ１１ｂの位置Ｒ２を（Ｗ，０）となる座標系を取ると、ペン２の座標（ｘ，ｙ）は、
ｘ２　＋ｙ２　＝Ｌ１２　
（ｘ−Ｗ）２　＋ｙ２　＝Ｌ２２　
であるから、ｘ，ｙについて解けば
ｘ＝（Ｌ１２　−Ｌ２２　＋Ｗ２　）／２Ｗ
ｙ＝√（Ｌ１２　−ｘ２　）
として、上記超音波センサ１１ａ，１１ｂの位置を基準としたペン２の座標が求まる。さらに、帳票の位置座標系と合わせるためには、回転、拡大縮小、平行移動等の必要な座標変換を行う。
上記のようにして求めたペン２の位置座標は、転送用コンピュータ１８から伝送線４を介して処理装置３に送られ、処理装置３の位置算出部１１で、帳票を基準とした位置座標に変換される。
【００１２】
次に、上記電子帳票作成装置による本発明の第１の実施例の帳票用作成処理について説明する。本発明の第１の実施例では、上記のようにペン座標を超音波の伝搬時間から求め、帳票を区別するのに本来帳票を入力する欄を帳票ごとにずらすことで実現する。
帳票例を図７に示す。この例では、４種類の帳票Ａ，Ｂ，Ｃ，Ｄを示す。
各帳票Ａ〜Ｄには、氏名、住所、電話等の他に、帳票ごとに、地図、会社住所、職業、会員番号等の欄が前もって印刷されており、空欄に手書きで記入することでデータベース内の電子帳票を完成させる。
各欄は１文字ごとに入力できるように枡目が付いており、手書き文字認識を容易にしている。各帳票ともにフリガナ欄と住所欄は共通のため、帳票を区別するために、各欄の位置が各帳票で一致しないようにずらしてある。
【００１３】
具体的には、各欄の幅や高さは同じで帳票のフリガナ欄の左下隅の位置Ｐｘ１と住所の左下隅の位置Ｐｘ２の位置が、各欄の幅、及び、高さ以上ずらしてある。そのため、各欄いっぱいに記入せずに欄の隅の方に記入したとしても帳票を識別間違えが生ずることは無い。これに応じて、帳票識別データベースには、図８のデータが格納されている。
すなわち、帳票Ａには、フリガナ欄の左下Ｐａ１の座標位置ｘａ１，ｙａ１と欄の１文字幅ｗａ１、欄の１文字高さｈａ１、及び、住所欄の左下Ｐａ２の座標位置ｘａ２，ｙａ２と欄の１文字幅ｗａ２、欄の１文字高さｈａ２が格納されている。帳票Ｂ，Ｃ，Ｄについても同様である。
【００１４】
帳票への手書き記入例を図９に、帳票データベース例を図１０に示す。また、本実施例のこの時の処理手順を図１１に示す。
以下、図１１により本実施例の処理について説明する。
紙帳票にペン２で筆記すると、前記したようにペン２から超音波が発生し、本体部１の受信部１１の超音波センサ１１ａ，１１ｂまで超音波が伝搬する時間Ｔ１，Ｔ２が計測され、前記計算式によりペン２の位置座標が検出される。
処理装置３の位置算出部３１は、前記したように、上記ペン位置座標を帳票を基準とした座標系に変換し、メモリに保存する（図１１のステップＳ１）。
保存されたペン座標から筆記中のペン軌跡が分かるので、一枚の帳票の記入が終わると、帳票識別部３２で、その座標が帳票識別データベース３３に登録されている欄の範囲にあるかどうかを調べ、帳票を識別する（ステップＳ２）。
すなわち、前記したように帳票識別データベース３３には、帳票識別のための記入欄の左下の座標位置、１文字幅ｗａ１、１文字高さｈａ１が格納されており、帳票識別部３２は、ペン２の座標が、各帳票Ａ〜Ｄの記入欄の左下の座標位置、１文字幅、１文字高さで定まる範囲内にあるかを調べ、どの帳票に記入しているかを判断する。
【００１５】
次に、帳票作成部３４は、識別された帳票を元に、帳票データベース３５にアクセスし、帳票の各欄の位置や入力可能な文字の種類の属性を引き出す（ステップＳ３）。そして、引き出された記入欄の位置からペン軌跡を抽出し（ステップＳ４）、文字認識部３６に問い合わせる。文字認識部３６は、引き出された文字属性を参考にペン軌跡に基づき文字認識を行う（ステップＳ５）。
文字認識結果が得られたら、その文字認識結果により帳票データベース３５を更新する（ステップＳ６）。
例えば、フリガナの位置に描かれている文字はフリガナを書いた文字であるので、文字認識部３６に問い合わせてペン軌跡からオンライン手書き文字認識技術を使用して文字認識しコード化する。
フリガナ欄であるのでカタカナのみが有効なため、文字認識部３６に変換対象がカタカナであることを伝えることで認識率を向上させることができる。
帳票識別結果が帳票Ａであり、文字認識の結果が、例えば、「ヤマモトタイチ」と認識されれば、帳票Ａのデータベースに認識結果を格納する。これらの処理を全ての欄について行なうことで帳票Ａの一枚分の電子帳票を作成することができる。
【００１６】
次に、上記電子帳票作成装置による本発明の第２の実施例の帳票用作成処理について説明する。本発明の第２の実施例では、本来記入する欄とは別に帳票識別用の記入欄を設け、該記入欄に例えばチェックマークが付けられたかどうかで、帳票を識別する。
本発明の第２の実施例の帳票例を図１２に示す。この例では、同図に示すように、帳票Ａ〜Ｃの上隅に帳票識別欄を設け、各帳票Ａ〜Ｃごとに異なる位置に１個、あるいは、複数個の欄が設けられている。
帳票の種類が少ない時には、位置のみ変えてひとつの欄にするのが良い。帳票の種類が増えた場合は、欄を複数行に分けて識別数を増やしても良いし、ひとつの帳票に２個、あるいは、それ以上の個数の識別欄を設けることも可能である。
但し、識別欄の個数があまり多いと記入者が煩雑に感じるため、基本的には、場所を変えることで対応し、識別欄の個数は３個程度までが望ましい。
また、この実施例では、各記入欄は文字ごとに分けていないため、文字認識する時に文字の切り分けが必要となり処理が複雑になるが、記入者の負担は軽くなる。
【００１７】
本実施例の帳票識別データベース３３の例を図１３に示す。
この例では、先ず、帳票の識別欄の並び（左端の欄の左下隅のｘｙ座標と、ひとつの識別欄の幅ｗと高さｈ、及び、識別欄の数）が記載されている。
例えば、同図に示すように、識別欄の個数が３の場合、第１の識別欄の左下隅の位置座標は（ｘ１，ｙ１）であり、第２の識別欄の左下隅の位置座標は（ｘ１＋ｗ，ｙ１）、第３の識別欄の左下隅の位置座標は（ｘ１＋２ｗ，ｙ１）である。また、識別欄に記入があるか否かは、上記左下隅の座標位置、幅ｗ、高さｈで定まる範囲内にペン座標の軌跡があるか否かで判定する。
そして、各欄をビット列に対応させ、各欄に記入があれば１、記入がなければ０とし、図１３に示すように各帳票ａ，ｂ，ｃ，…毎に、１００，０１０，１０１のようなビット列の並びが格納されている。前記処理装置３の帳票識別部３２では、先ず、上記帳票識別データベース３３の識別欄位置の定義から各欄に軌跡があるかどうかによりビット列を完成させ、次にそのビット列に一致する帳票を検索することで帳票を識別する。
この実施例では、先ず最初に識別欄に記入することとし、識別欄に記入しないと、警告音等で他の欄に記入できないようにする。このようにすることで、本来不要な識別欄への記入もれが発生するのを防止している。
また、連続して帳票を記入する時、識別欄への記入を帳票記入の区切りとすることが可能である。
【００１８】
帳票への手書き記入例を図１４に、図１５に本実施例の処理手順を示す。以下図１５により本実施例の処理について説明する。
紙帳票にペン２で筆記すると、前記したようにペン２から超音波が発生し、本体部１の受信部１１の超音波センサ１１ａ，１１ｂまで超音波が伝搬する時間Ｔ１，Ｔ２が計測され、前記計算式によりペン２の位置座標が計算される（ステップＳ１）。
ついで、ペン座標が識別欄であるかどうか判定する（ステップＳ２）。ペン座標が識別欄でなければ警告音を発生して（ステップＳ３）、入力を繰り返す。識別欄であれば、ペン座標をメモリに格納する（ステップＳ４）。
次の帳票の識別欄になるまで、メモリに格納し、次の帳票の識別欄であれば、一連の手書き入力の区切りであるので、ステップＳ５からステップＳ６に行き、前記第１の実施例と同様の処理でデータベースに電子帳票を作成する。
すなわち、帳票識別部３２は、格納された軌跡座標を帳票識別データベース３３に照らし合わせて、どの帳票に記入しているかを判断する（ステップＳ６）。
次に、帳票作成部３４は、識別された帳票を元に、帳票データベース３５にアクセスし、帳票の各欄の位置や入力可能な文字の種類の属性を引き出す（ステップＳ７）。そして、引き出された記入欄の位置からペン軌跡を抽出し（ステップＳ８）、文字認識部３６に問い合わせる。文字認識部３６は、引き出された文字属性を参考にペン軌跡に基づき文字認識を行う（ステップＳ９）。
文字認識結果が得られたら、その文字認識結果により帳票データベース３５を更新する（ステップＳ１０）。
【００１９】
なお、上記実施例では、識別欄への記入を帳票の区切りとしているが、専用の区切り欄に記入したことで区切りとしても良い。
本実施例では、第１の実施例に比べて、本来記入に不要な欄に記入するという手間が発生するが、帳票デザインの自由度が増し、多数の種類の帳票でも簡単に対応可能である。また、識別欄に点、チェック、○等、任意の軌跡を書くだけなので、前記した公知例（特開２００１−２３６４５１号公報）に比べて記入の手間はそれほど増えず、識別文字の認識が不要なため誤認識の可能性がほとんど無い。
【００２０】
（付記１）　予め決まっている形式で印刷された帳票に手書き筆記可能なペンと、
上記ペンの座標を求める手段と、
上記帳票の形式を電子的に格納している格納手段と、
上記ペンの座標に基づき帳票への手書き記入位置を検出し、上記格納手段に格納された各帳票の形式に基づき、複数種類の帳票を識別する帳票識別手段と、
ペン座標から帳票への記入を認識して電子帳票を作成する帳票作成手段とを備えた
ことを特徴とする電子帳票作成装置。
（付記２）　本来記入すべき帳票項目のひとつ、あるいは、複数の位置を、各帳票ごとに互いに一致しないようにずらし、
上記帳票識別手段は、各帳票の記入位置に基づき各帳票を識別する
ことを特徴とする請求項１の電子帳票作成装置。
（付記３）　帳票に１文字ごとの記入欄を設け、各帳票の記入欄のずらし量をひとつの記入欄の幅、あるいは、高さの半分以上となるように設定した
ことを特徴とする請求項２の電子帳票作成装置。
（付記４）　本来記入すべき帳票項目とは別に、帳票識別を目的としたひとつ、あるいは、複数の識別欄を設け、
上記帳票識別手段は、上記識別欄にペン軌跡があるか否かで帳票を識別することを特徴とする請求項１の電子帳票作成装置。
（付記５）　識別欄に記入しないとき、警告を発する手段を設けた
ことを特徴とする請求項４の電子帳票作成装置。
（付記６）　上記ペンは超音波送信器または超音波センサを備え、
上記ペン座標を求める手段は、２個あるいはそれ以上の超音波センサまたは超音波送信器を具備する受信機本体を備え、上記ペンと受信機本体との間の超音波伝搬時間からペン座標を求める
ことを特徴とする付記１，２，３，４または請求項５の帳票作成装置。
（付記７）　帳票と受信機本体との位置関係を毎回一定に保つ手段を備えたことを特徴とする請求項７の帳票作成装置。
（付記８）　予め決まっている形式で印刷された帳票に手書き筆記可能なペンを用いて記述した文字を認識し、電子帳票を作成する電子帳票作成プログラムであって、
上記プログラムは、
上記ペンの座標を求める処理と、
上記ペンの座標に基づき帳票への手書き記入位置を検出し、格納手段に予め格納された帳票の形式を参照して、複数種類の帳票を識別する処理と、
ペン座標から帳票への記入を認識して電子帳票を作成する処理をコンピュータに実行させる
ことを特徴とする電子帳票作成プログラム。
【００２１】
【発明の効果】
以上説明したように、本発明においては、ペンの座標に基づき帳票への手書き記入位置を検出し、上記格納手段に格納された各帳票の形式に基づき、複数種類の帳票を識別し、電子帳票を作成するようにしたので、記入者の負担を極力少なくして、複数帳票の中から作成しようとしている帳票を選択して電子帳票を作成することができる。また、帳票の誤認識の可能性をほとんど無くすことができる。このため、複数種類ある紙帳票に手書き入力して電子帳票を低コストで作成することが可能となる。
【図面の簡単な説明】
【図１】本発明の電子帳票作成装置の全体構成を示す図である。
【図２】帳票へ記入するペンの構成例を示す図である。
【図３】帳票へ記入するペンの内部のブロック図である。
【図４】本発明の実施例の本体部の構成例を示す図である。
【図５】本体部に設けられた受信部の内部ブロック図である。
【図６】受信部における動作を示すタイミングチャートである。
【図７】本発明の第１の実施例の帳票例を示す図である。
【図８】第１の実施例の帳票識別データベースに格納されるデータ例を示す図である。
【図９】第１の実施例の帳票の記入例を示す図である。
【図１０】第１の実施例の帳票データベースに格納されるデータ例を示す図である。
【図１１】第１の実施例の処理フローチャートを示す図である。
【図１２】本発明の第２の実施例の帳票例を示す図である。
【図１３】第２の実施例の帳票識別データベースに格納されるデータ例を示す図である。
【図１４】第２の実施例の帳票の記入例を示す図である。
【図１５】第２の実施例の処理フローチャートを示す図である。
【符号の説明】
１　　　本体部
２　　　ペン
３　　　処理装置
４　　　伝送線
１１　　受信部
３１　　位置算出部
３２　　帳票識別部
３３　　帳票識別データベース
３４　　帳票作成部
３４　　帳票データベース
３６　　文字認識部
【図１】
2004021917.tif 000003
【図２】
2004021917.tif 000004
【図３】
2004021917.tif 000005
【図４】
2004021917.tif 000006
【図５】
2004021917.tif 000007
【図６】
2004021917.tif 000008
【図７】
2004021917.tif 000009
【図８】
2004021917.tif 000010
【図９】
2004021917.tif 000011
【図１０】
2004021917.tif 000012
【図１１】
2004021917.tif 000013
【図１２】
2004021917.tif 000014
【図１３】
2004021917.tif 000015
【図１４】
2004021917.tif 000016
【図１５】
2004021917.tif 000017